(57)【要約】  【課題】従来のプロジェクタ装置のように、ホスト装置からも画像の制御が実行可能であり、かつ、プロジェクタ装置にても画像の制御が実行可能となっていると、ホスト装置を操作するアシスタントのみならずプレゼンターも画像の制御を行うことができるため、より操作性が向上する。  【解決手段】本発明は、ホスト装置から出力される画像をスクリーンに投射して表示するためのプロジェクタ装置であって、ホスト装置を制御するための機能を有するプロジェクタ装置を提案する。ホスト装置を制御するための機能として、例えば、プレゼンターはタッチパネルデバイスにより制御操作を行ったり、ディスプレイの筐体を動かすことにより制御操作を行うことができる。制御操作が行われると、制御信号がプロジェクタ装置とホスト装置を接続しているＵＳＢケーブル等によりホスト装置に出力される。【選択図】            図１
2006349969.tif 000002
【特許請求の範囲】
【請求項１】
ホスト装置から出力される画像をスクリーンに投射して表示するためのプロジェクタ装置であって、
ホスト装置を制御するためのホスト装置制御部を有するプロジェクタ装置。
【請求項２】
前記ホスト装置制御部は、
ホスト装置から出力される画像を表示するためのディスプレイを備えた出力手段を有する請求項１に記載のプロジェクタ装置。
【請求項３】
前記ホスト装置制御部は、
ホスト装置を制御するための入力を前記ディスプレイから受け付けるためのディスプレイ入力手段を有する請求項２に記載のプロジェクタ装置。
【請求項４】
前記ディスプレイ入力手段は、ホスト装置を制御するための入力を取得するために前記ディスプレイの筐体の動きを検知する筐体動作検知器をさらに有する請求項３に記載のプロジェクタ装置。
【請求項５】
前記ディスプレイ入力手段は、ホスト装置を制御するための入力を取得するために前記ディスプレイのポインティングデバイス又は／及び、タッチパネルデバイスからの入力情報を取得するディスプレイデバイス入力器をさらに有する請求項３又は４に記載のプロジェクタ装置。
【請求項６】
前記ホスト装置制御部は、情報を表示するための画像を生成する画像生成手段を有し、
前記出力手段は、ホスト装置から出力される画像に代えて、又は、ホスト装置から出力される画像に加えて、前記画像生成手段が生成する画像を前記ディスプレイに表示するための生成画像表示器を有する請求項２から５のいずれか一に記載のプロジェクタ装置。
【請求項７】
前記ホスト装置制御部の機能を有効又は無効とするためのスイッチ部をさらに有する請求項１から６のいずれか一に記載のプロジェクタ装置。
【請求項８】
ホスト装置から出力される画像情報に基づく画像をスクリーンに投射して表示するための画像投射方法であって、
ホスト装置から画像情報をプロジェクタ装置に転送する転送ステップと、
転送された画像情報に基づく画像をプロジェクタ装置からスクリーンに投射する投射ステップと、
プロジェクタ装置からホスト装置を制御するための制御情報を送信するホスト装置制御情報送信ステップと、
ホスト装置において制御情報を受信して制御を実行する制御ステップと、
を有する画像投射方法。
【請求項９】
前記ホスト装置制御情報送信ステップは、
ホスト装置を制御するための入力を前記ディスプレイから受け付けるためのディスプレイ入力ステップを有する請求項８に記載の画像投射方法。
【請求項１０】
前記ディスプレイ入力ステップは、ホスト装置を制御するための入力を取得するために前記ディスプレイの筐体の動きを検知する筐体動作検知ステップをさらに有する請求項９に記載の画像投射方法。
【発明の詳細な説明】
【技術分野】
【０００１】
本発明は、ホスト装置から出力される画像をスクリーンに投射して表示するためのプロジェクタ装置に関する。
【背景技術】
【０００２】
従来、プロジェクタ装置はパソコン等のホスト装置からの画像信号を受信し、受信した画像信号に基づいて画像をスクリーンに投射する。また、投射する画像を変更する等の制御は、ホスト装置で実行されるアプリケーション等を操作することによって行っており、画像を投射する際の明るさの調整、フォーカス調整、画像歪みの補正等のプロジェクタ装置における設定操作は、プロジェクタ装置に備えられているボタン等により実行できるようになっている。しかし、このような設定操作を実行する場合には、設定画面等をスクリーンに投射するようになっており、画像が投射されている際には画像と重なって設定画面等も投射されてしまうため、例えば、プレゼンテーション中などは設定操作を実行したくともできない等の不都合があった。このような問題に対して、特許文献１において、設定画面等を表示するための表示部を別途備えたプロジェクタ装置に関する発明が開示されている。特許文献１に係る発明によれば、スクリーンに投射している画像に影響を与えることなく、表示部にて設定画面等を表示し設定操作を実行することが可能となる。
【特許文献１】特開２００５−１７４９５号公報
【発明の開示】
【発明が解決しようとする課題】
【０００３】
しかしながら、特許文献１に係る発明においては、表示部は設定操作のみを実行するものであり、プレゼンテーションを行う際にはプレゼンテーションを行うプレゼンターが投射する画像を変える等の制御を自身で行うことができればより便利である。ただし、プレゼンターの役目は基本的にはプレゼンテーションを行うことであるので、全ての操作を自身で行うようになっているとかえって不都合が生じる可能性がある。このような状況を鑑みれば、従来のプレゼンテーション方法のように、ホスト装置からも画像の制御が実行可能であり、かつ、プロジェクタ装置にても画像の制御が実行可能となっていると、より操作性が向上する。また、プロジェクタ装置にてプレゼンテーションを行う際には、室内の照明を消して暗くする場合も多いため、手元が見づらくなってしまう等の問題がある。
【課題を解決するための手段】
【０００４】
本発明は、この課題を解決するために、ホスト装置から出力される画像をスクリーンに投射して表示するためのプロジェクタ装置であって、ホスト装置を制御するための機能を有するプロジェクタ装置を提案する。図１に、本発明に係るプロジェクタ装置とホスト装置の構成例を示す。プロジェクタ装置（０１１０）は、ホスト装置（０１２０）から出力される画像をスクリーン（０１３０）に投射して表示する。即ち、プレゼンテーションを行うプレゼンター（０１４０）と、ホスト装置を操作するアシスタント（０１５０）がいることを想定している。従来のプロジェクタ装置と異なる点は、従来は、画像に関する制御は全てホスト装置（０１２０）にて実行されるため、アシスタント（０１５０）のみが画像の制御を行うことができた。しかし、本発明に係るプロジェクタ装置は、プレゼンター（０１４０）がホスト装置を制御するための制御部（０１６０）を有する。制御部（０１６０）は、例えば、ディスプレイであり、プレゼンター（０１４０）はタッチパネルデバイスにより制御操作を行ったり、ディスプレイの筐体を動かすことにより制御操作を行うことができる。制御部（０１６０）にて制御操作が行われると、制御信号がプロジェクタ装置とホスト装置を接続しているＵＳＢケーブル等（０１７０）によりホスト装置（０１２０）に出力される。
【発明の効果】
【０００５】
以上のように、本発明に係るプロジェクタ装置においては、ホスト装置を制御するための機能を備えているため、例えば、プレゼンターがプレゼンテーションを行いながら、必要に応じて自身で画像の制御を行うことができる。また、ディスプレイの筐体を動かして画像の制御を行うことも可能であり、室内が暗く手元が見づらい場合でも簡単な操作により画像の制御を行うことができる。
【発明を実施するための最良の形態】
【０００６】
本発明を実施するための最良の形態について図面を用いて詳細に説明する。なお、本発明はこれら実施の形態に何ら限定されるものではなく、その要旨を逸脱しない範囲において、種々なる態様で実施しうる。なお、以下の実施形態と請求項の関係は次の通りである。実施形態１は、主に請求項１、８などについて説明する。実施形態２は、主に請求項２などについて説明する。実施形態３は、主に請求項３、９などについて説明する。実施形態４は、主に請求項４、１０などについて説明する。実施形態５は、主に請求項５などについて説明する。実施形態６は、主に請求項６などについて説明する。実施形態７は、主に請求項７などについて説明する。
（実施形態１）
【０００７】
（実施形態１：概要）本実施形態は、ホスト装置から出力される画像をスクリーンに投射して表示するためのプロジェクタ装置であって、ホスト装置を制御する機能を有するプロジェクタ装置に関する。
【０００８】
（実施形態１：構成）本実施形態に係るプロジェクタ装置の機能ブロックを図２に例示する。プロジェクタ装置（０２００）は、「ホスト装置制御部」（０２１０）を有する。プロジェクタ装置（０２００）は、ホスト装置から出力される画像をスクリーンに投射して表示するための装置である。ホスト装置は、例えば、画像の制御を行うためのアプリケーション等が動作するコンピュータ等が該当する。また、プロジェクタ装置（０２００）から制御することが可能であるように構成されていることが前提である。
【０００９】
なお、本件発明の構成要素である各部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。さらに具体的には、図１７は一般的なコンピュータの構成を例示する図でありコンピュータが主にＣＰＵ（１７１０）、入出力インタフェース（Ｉ／Ｏ）（１７２０）、ハードディスク（ＨＤＤ）（１７３０）、ＲＡＭ（１７４０）、ＲＯＭ（１７５０）等から構成されることを示しているが、本件発明に係るプロジェクタ装置は図１７と同様の構成にて実現される。（明細書の全体を通じて同様である。）
【００１０】
「ホスト装置制御部」（０２１０）は、ホスト装置を制御する機能を有する。「制御」とは、例えば、ホスト装置において画像に対する処理全般を実行させる、ホスト装置の電源のＯＮ、ＯＦＦを切り換える、ホスト装置における操作を有効にする、又は無効にする、画像を出力するホスト装置が複数あるような場合にはホスト装置の切り換えを行う、等が該当する。画像に対する処理とは、具体的には、例えば、ホスト装置にて投射する画像を次の画像や前の画像に切り換えるような処理をアプリケーションに実行させる、画像ファイルの削除、追加、変更、等の処理が該当する。また、ホスト装置に対する制御のみならず、ホスト装置への制御に関連する情報をホスト装置から取得する場合をも含む。例えば、ホスト装置から出力される画像を取得し表示する場合、制御処理が正常に行われたか否かを示す制御結果の出力等が該当する。ホスト装置制御部は、具体的には、プロジェクタ装置のユーザが入力操作を実行可能であるようなボタン、タッチパネル、キーボード、ポインティングデバイス等により実現され、さらにホスト装置からの出力を表すためのディスプレイ等の画像出力機構、ＬＥＤ等の発光機構、スピーカー等の音声出力機構等が該当する。また、ホスト装置への入力信号や出力信号を送受信するための通信機構も含まれる。通信は、無線によっても有線によってもよい。無線であれば、例えば、Ｂｌｕｅｔｏｏｔｈ（登録商標）、赤外線などの不可視光線でもよいし、可視光線によってもよい。有線であれば、ＵＳＢ等のシリアルインタフェースやパラレルインタフェース等が想定される。また、ネットワークを介して通信してもよい。ホスト装置制御部の具体的な処理としては、例えば、ユーザが画像を切り換えるためのボタンを押下すると、画像切り換えのボタンが押下されたことを示す情報がＨＤＤ、ＲＡＭ等の所定の記憶領域に格納される。さらに、格納された情報は読出され、ＵＳＢインタフェース等から出力するための出力信号に変換してホスト装置へ出力される。出力された出力信号はホスト装置にて取得されるが、ホスト装置においては、この出力信号が、例えばアプリケーションにて画像制御を行うために押下されるキーボードの信号（例えば、次の画像へ切り換えるためのキーが押下された時の信号等）として変換されるような処理機構にて処理されることで、ホスト装置への制御が実現される。また、ホスト装置から制御に関連する情報を取得する場合には、例えば、ホスト装置からＵＳＢインタフェース等を介して出力された出力信号を取得し、取得した出力信号を変換処理した情報を所定の記憶領域に格納する。さらに、格納された情報を読出し、読出した情報が画像情報であれば画像出力機構にて出力し、音声情報であれば音声出力機構にて出力する等の処理を実行する。また、ホスト装置制御部は、このような処理を実行するためのプログラムを含んでいてもよい。
【００１１】
（実施形態１：処理の流れ）図１６は、本実施形態に係るプロジェクタ装置における処理の流れを示すフロー図を例示する。最初に、ホスト装置から画像情報をプロジェクタ装置に転送する（画像情報転送ステップ  Ｓ１６１０）。次に、前記画像情報転送ステップ（Ｓ１６１０）にて転送された画像情報に基づく画像をプロジェクタ装置からスクリーンに投射する（画像投射ステップ  Ｓ１６２０）。次に、プロジェクタ装置からホスト装置を制御するための制御情報を送信する（ホスト装置制御情報送信ステップ  Ｓ１６３０）。最後に、ホスト装置において、前記ホスト装置制御情報送信ステップ（Ｓ１６３０）にて送信された制御情報を受信して制御を実行する（制御ステップ  Ｓ１６４０）。
【００１２】
（実施形態１：効果）本実施形態に係るプロジェクタ装置は、ホスト装置から出力される画像をスクリーンに投射して表示するためのプロジェクタ装置であって、ホスト装置を制御する機能を有する。これにより、従来のようなホスト装置からの画像の制御に加えて、さらに、プロジェクタ装置からもホスト装置を介して画像に対する処理等を実行することが可能である。
（実施形態２）
【００１３】
（実施形態２：概要）本実施形態は、実施形態１に係るプロジェクタ装置の機能に加え、前記ホスト装置制御部は、ホスト装置から出力される画像を表示するためのディスプレイを備えた出力手段を有するプロジェクタ装置に関する。
【００１４】
（実施形態２：構成）本実施形態に係るプロジェクタ装置の機能ブロックを図３に例示する。プロジェクタ装置（０３００）は、「ホスト装置制御部」（０３１０）を有する。また、前記ホスト装置制御部（０３１０）は、「出力手段」（０３１１）を有する。前記ホスト装置制御部（０３１０）の機能に関しては、実施形態１に係るホスト装置制御部と同様であるのでここでの説明は省略する。
【００１５】
「出力手段」（０３１１）は、ホスト装置から出力される画像を表示するためのディスプレイを備える。「ホスト装置から出力される画像」とは、主に、スクリーンに投射する画像を意味するが、投射中の画像のみならず、次に投射する予定の画像や過去に投射した画像などを含んでいてもよい。また、画像の制御を行うための、「次画像」ボタンや「前画像」ボタン等のボタンやカーソルが同時に表示されてもよい。さらに、スクリーンには投射しないが、プレゼンターにとってプレゼンテーションをする上で有用な情報である説明のメモ書きや補助画像などを表示するようになっていてもよい。「ディスプレイ」は、画像を表示可能なディスプレイであればディスプレイの種類等は問わない。例えば、ＴＦＴ（Ｔｈｉｎ  Ｆｉｌｍ  Ｔｒａｎｓｉｓｔｏｒ）などの液晶画面であってもよいし、他にも有機ＥＬ（Ｅｌｅｃｔｒｏｌｕｍｉｎｅｓｃｅｎｃｅ）、無機ＥＬ、プラズマディスプレイ画面、ＣＲＴ（Ｃａｔｈｏｄｅ  Ｒａｙ  Ｔｕｂｅ）等、様々に想定される。また、ディスプレイの形状や大きさも問わない。出力手段における具体的な処理としては、例えば、ＵＳＢインタフェース等を介してホスト装置から出力される画像を入力信号として取得する。取得した入力信号を変換処理して画像データとしてＨＤＤ、ＲＡＭ等の所定の記憶領域に格納する。さらに、格納された所定の記憶領域から画像データを読出し、ＧＰＵ（Ｇｒａｐｈｉｃ  Ｐｒｏｃｅｓｓｏｒ  Ｕｎｉｔ）によってグラフィックメモリに展開された後、必要に応じてアナログ変換する等してディスプレイ出力信号に変換され、ディスプレイに出力される。また、出力手段は、このような処理を実行するためのプログラムを含んでいてもよい。
【００１６】
（実施形態２：処理の流れ）図４は、本実施形態に係るプロジェクタ装置における処理の一例として、投射する画像の画像情報とともにスクリーンには投射しない補助画像等の関連情報をホスト装置から取得し、画像情報に基づく画像はスクリーンに投射し、関連情報に基づく補助画像等は出力手段にてディスプレイに表示する場合の処理の流れを示すフロー図を例示する。最初に、ホスト装置から画像情報と関連情報とをプロジェクタ装置に転送する（画像情報関連情報転送ステップ  Ｓ０４１０）。次に、前記画像情報関連情報転送ステップ（Ｓ０４１０）にて転送された画像情報に基づく画像をプロジェクタ装置からスクリーンに投射する（画像投射ステップ  Ｓ０４２０）。次に、前記画像情報関連情報転送ステップ（Ｓ０４１０）にて転送された関連情報に基づく補助画像等をディスプレイに表示する。この処理は出力手段によって実行される。また、前記画像投射ステップ（Ｓ０４２０）よりも先に実行されてもよい（ディスプレイ表示ステップ  Ｓ０４３０）。次に、プロジェクタ装置からホスト装置を制御するための制御情報を送信する（ホスト装置制御情報送信ステップ  Ｓ０４４０）。最後に、ホスト装置において、前記ホスト装置制御情報送信ステップ（Ｓ０４４０）にて送信された制御情報を受信して制御を実行する（制御ステップ  Ｓ０４５０）。
【００１７】
（実施形態２：効果）本実施形態に係るプロジェクタ装置は、実施形態１に係るプロジェクタ装置の機能に加え、前記ホスト装置制御部は、ホスト装置から出力される画像を表示するためのディスプレイを備えた出力手段を有する。これにより、ユーザは画像を見ながらホスト装置を制御するための操作等を行うことが可能である。
（実施形態３）
【００１８】
（実施形態３：概要）本実施形態は、実施形態２に係るプロジェクタ装置の機能に加え、前記ホスト装置制御部は、ホスト装置を制御するための入力を前記ディスプレイから受け付けるための機能を有するプロジェクタ装置に関する。
【００１９】
（実施形態３：構成）本実施形態に係るプロジェクタ装置の機能ブロックを図５に例示する。プロジェクタ装置（０５００）は、「ホスト装置制御部」（０５１０）を有する。また、前記ホスト装置制御部（０５１０）は、「出力手段」（０５１１）と、「ディスプレイ入力手段」（０５１２）を有する。前記ディスプレイ入力手段（０５１２）以外の構成に関しては、実施形態２に係るプロジェクタ装置と同様であるのでここでの説明は省略する。
【００２０】
「ディスプレイ入力手段」（０５１２）は、ホスト装置を制御するための入力を前記ディスプレイから受け付けるための機能を有する。「ディスプレイから受け付ける」とは、具体的には、例えば、ディスプレイが可動でありユーザはディスプレイの筐体を動かすことによってホスト装置を制御する場合や、ディスプレイがポインティングデバイスやタッチパネルデバイスを備えており、これらのデバイスを介してユーザからの入力を受け付ける場合等が想定される。即ち、ディスプレイ入力手段はこれらの処理機構全般を含む。また、さらにはこれらの処理機構において処理を実行するためのプログラムを含んでいてもよい。また、ホスト装置に対して実行可能な制御を示す制御可能情報として、例えば、次の画像があるか否か（次の画像に切り換えられるか）、全画像の数、等の情報をホスト装置から取得すると、この制御可能情報に基づいてディスプレイ入力手段からの入力を受け付け、ホスト装置に制御情報を返すことができる。ディスプレイ入力手段の具体的な処理としては、例えば、ディスプレイからの入力を入力信号としてＨＤＤ、ＲＡＭ等の所定の記憶領域に格納する。さらに、格納された所定の記憶領域から入力信号を読出し、ＵＳＢインタフェース等から出力するための出力信号に変換してホスト装置へ出力する。
【００２１】
（実施形態３：処理の流れ）図６は、本実施形態に係るプロジェクタ装置における処理の流れを示すフロー図を例示する。最初に、ホスト装置から画像情報と関連情報とをプロジェクタ装置に転送する（画像情報関連情報転送ステップ  Ｓ０６１０）。次に、ホスト装置から制御可能情報をプロジェクタ装置に送信する。この処理は、前記画像情報関連情報転送ステップ（Ｓ０６１０）よりも先に実行されてもよいし、同時に実行されてもよい（制御可能情報送信ステップ  Ｓ０６２０）。次に、前記画像情報関連情報転送ステップ（Ｓ０６１０）にて転送された画像情報に基づく画像をプロジェクタ装置からスクリーンに投射する（画像投射ステップ  Ｓ０６３０）。次に、前記画像情報関連情報転送ステップ（Ｓ０６１０）にて転送された関連情報に基づく補助画像等をディスプレイに表示する。この処理は出力手段によって実行される。また、前記画像投射ステップ（Ｓ０６３０）よりも先に実行されてもよい（ディスプレイ表示ステップ  Ｓ０６４０）。次に、前記制御可能情報送信ステップ（Ｓ０６２０）によりホスト装置から送信された制御可能情報に基づいて、ホスト装置を制御するための入力をディスプレイから受け付ける。即ち、ディスプレイを介して入力信号を取得する。この処理はディスプレイ入力手段によって実行される（入力信号取得ステップ  Ｓ０６５０）。次に、前記入力信号取得ステップ（Ｓ０６５０）にて取得された入力信号に基づいて、制御情報をホスト装置に送信する。この処理はディスプレイ入力手段によって実行される（入力信号依存ホスト装置制御情報送信ステップ  Ｓ０６６０）。最後に、ホスト装置において、前記入力信号依存ホスト装置制御情報送信ステップ（Ｓ０６６０）にて送信された制御情報を受信して制御を実行する（制御ステップ  Ｓ０６７０）。
【００２２】
（実施形態３：効果）本実施形態に係るプロジェクタ装置は、実施形態２に係るプロジェクタ装置の機能に加え、前記ホスト装置制御部は、ホスト装置を制御するための入力を前記ディスプレイから受け付けるための機能を有する。これにより、ユーザはディスプレイを操作することによりホスト装置を制御することができる。
（実施形態４）
【００２３】
（実施形態４：概要）本実施形態は、実施形態３に係るプロジェクタ装置の機能に加え、前記ディスプレイ入力手段は、ホスト装置を制御するための入力を取得するために前記ディスプレイの筐体の動きを検知する機能を有するプロジェクタ装置に関する。
【００２４】
（実施形態４：構成）本実施形態に係るプロジェクタ装置の機能ブロックを図７に例示する。プロジェクタ装置（０７００）は、「ホスト装置制御部」（０７１０）を有する。また、前記ホスト装置制御部（０７１０）は、「出力手段」（０７１１）と、「ディスプレイ入力手段」（０７１２）を有する。また、前記ディスプレイ入力手段（０７１２）は、「筐体動作検知器」（０７１３）を有する。前記筐体動作検知器（０７１３）以外の構成に関しては、実施形態３に係るプロジェクタ装置と同様であるのでここでの説明は省略する。
【００２５】
「筐体動作検知器」（０７１３）は、ホスト装置を制御するための入力を取得するために前記ディスプレイの筐体の動きを検知する機能を有する。
【００２６】
図８は、筐体動作検知器の具体例を示す。ディスプレイ（０８１０）は、連結棒（０８３０）により球体（０８２０）と接続されている。また、連結棒（０８３０）はスペーサ（０８４０）に設けられた穴を貫通してディスプレイ（０８１０）と球体（０８２０）を接続している。スペーサ（０８４０）は、プロジェクタ装置の筐体（０８００）の凹部に挟着されている。また、球体（０８２０）は、上下に弾性力を有すバネ状の軸受け（０８５０）により保持されており、軸受け（０８５０）の内部において球体（０８２０）の直下にはスイッチ（０８６０）が配置されている。このため、ディスプレイ（０８１０）が下方向に押されるとスイッチ（０８６０）が押されるため、ディスプレイ（０８１０）が下方向に押された場合には検知可能である。また、球体（０８２０）の中心を通る水平軸方向の外周部に対向して、フォトセンサ（０８７０ａ、０８７０ｂ、０８７０ｃ、０８７０ｄ）が取り付けられている。また、球体（０８２０）の表面には、球体（０８２０）が初期位置からずれた場合のずれ量を各フォトセンサにより検出するための検出マーク（図示していない）が付けられている。この検出マークは、ディスプレイ（０８１０）が右方向、左方向、奥方向、手前方向に動かされた場合、その方向に対するずれ量を検出するものである。図９にて、ディスプレイのずれ量の検出方法を説明する。フォトセンサ０８７０ａ、０８７０ｂに対向する球体の面においては、検出マーク０９１０が付されている。検出マーク０９１０は、初期位置から下方向になるに従って黒色が濃くなっていくように印刷されている。また、フォトセンサ０８７０ｃ、０８７０ｄに対向する球体の面においては、検出マーク０９２０が付されている。検出マーク０９２０は、初期位置から上方向になるに従って黒色が濃くなっていくように印刷されている。ここで、ディスプレイが右方向に傾けられた場合を一例として説明する。ディスプレイが右方向に傾けられていくと、図１０のように時間の経過とともにフォトセンサ０８７０ｂのセンサ出力値が大きくなり、時間ｔ１においてセンサ出力値がＲｐとなったとする。（なお、時間ｔ１からｔ２にかけてはディスプレイが初期位置に戻された場合のセンサ出力値を示している。）この時、他のフォトセンサ０８７０ａ、０８７０ｃ、０８７０ｄのセンサ出力値は０である。同様に、ディスプレイが左方向に傾けられた場合には、フォトセンサ０８７０ａのセンサ出力値が大きくなり、ディスプレイが手前方向に傾けられた場合には、フォトセンサ０８７０ｄのセンサ出力値が大きくなり、ディスプレイが奥方向に傾けられた場合には、フォトセンサ０８７０ｃのセンサ出力値が大きくなる。以上のような仕組みにより、ディスプレイが傾けられた方向と初期位置からのずれ量を検知することが可能である。また、例えば、ディスプレイが右方向に傾けられた場合にはスクリーンに投射する画像を次の画像に切り換える、ディスプレイが左方向に傾けられた場合にはスクリーンに投射する画像を一つ前の画像に戻す、等と決められていれば、ユーザは細かい操作をすることなく、ディスプレイを傾けるという簡単な操作によって画像の切り換えを行うことが可能である。さらに、ディスプレイにホスト装置から出力される画像と、画像の制御を行うためのカーソルと、画像を切り換えるための「次画像」ボタンや「前画像」ボタン等が表示されている場合には、例えば、ディスプレイが傾けられた場合のずれ量がカーソルの動きと連動するようになっており、カーソルを目的の位置まで移動させた後、ディスプレイを下方向に押すと表示されているボタンや画像を選択したり決定したりする等、マウスと同じような働きをするようになっていてもよい。筐体動作検知器は、以上のような仕組みを実装するためのハードウェアやソフトウェア全般を含む。なお、図８に例示する筐体動作検知器の具体例はあくまで一例であり、このような仕組みに限定されるものではない。
【００２７】
（実施形態４：処理の流れ）本実施形態に係るプロジェクタ装置における処理の流れは、実施形態３に係るプロジェクタ装置における処理の流れと同様である。ただし、前記入力信号取得ステップにおいて、ディスプレイの筐体の動きを検知することによりホスト装置を制御するための入力を取得することを特徴とする。
【００２８】
（実施形態４：効果）本実施形態に係るプロジェクタ装置は、実施形態３に係るプロジェクタ装置の機能に加え、前記ディスプレイ入力手段は、ホスト装置を制御するための入力を取得するために前記ディスプレイの筐体の動きを検知する機能を有する。これにより、ユーザはディスプレイを動かすことによりホスト装置を制御することができる。
（実施形態５）
【００２９】
（実施形態５：概要）本実施形態は、実施形態３又は４に係るプロジェクタ装置の機能に加え、前記ディスプレイ入力手段は、ホスト装置を制御するための入力を取得するために前記ディスプレイのポインティングデバイス又は／及び、タッチパネルデバイスからの入力情報を取得する機能を有するプロジェクタ装置に関する。
【００３０】
（実施形態５：構成）本実施形態に係るプロジェクタ装置の機能ブロックを図１１に例示する。本実施形態に係るプロジェクタ装置の構成は、実施形態３又は４に係るプロジェクタ装置の構成に「ディスプレイデバイス入力器」（１１１４）を加えた構成となる。図１１においては、実施形態４に係るプロジェクタ装置の構成に前記ディスプレイデバイス入力器（１１１４）を加えた構成を例示している。プロジェクタ装置（１１００）は、「ホスト装置制御部」（１１１０）を有する。また、前記ホスト装置制御部（１１１０）は、「出力手段」（１１１１）と、「ディスプレイ入力手段」（１１１２）を有する。また、前記ディスプレイ入力手段（１１１２）は、「筐体動作検知器」（１１１３）と、「ディスプレイデバイス入力器」（１１１４）を有する。
【００３１】
「ディスプレイデバイス入力器」（１１１４）は、ホスト装置を制御するための入力を取得するために前記ディスプレイのポインティングデバイス又は／及び、タッチパネルデバイスからの入力情報を取得する機能を有する。「入力情報」とは、ポインティングデバイス又は／及び、タッチパネルデバイスにおいて入力された座標位置等を示す情報である。図１２は、ディスプレイデバイス入力器の具体例を示す。ディスプレイ（１２１０）の表面には透明のタッチパネルが取り付けられており、ユーザは指やタッチペン（１２２０）等によりタッチパネルに触れることができる。タッチパネルに関する技術については一般的によく知られている技術であるので、ここでは詳細な説明は省略する。画像（１２３０）は、ホスト装置から出力される画像である。また、カーソル（１２４０）は、画像（１２３０）とともにホスト装置から出力され、前記出力手段によりディスプレイ（１２１０）に出力される。例えば、ユーザがタッチペン（１２２０）等により、カーソル（１２４０）に触れたままタッチペン（１２２０）等を動かすとカーソル（１２４０）もタッチペン（１２２０）等の動きに合わせて動くようになっていてもよい。また、「次画像」ボタンや「前画像」ボタン等の機能ボタンがディスプレイ（１２１０）に表示されている場合であれば、直接タッチペン（１２２０）等によりボタンを選択できるようになっていてもよい。また、画像（１２３０）が現在スクリーンに投射している画像であって、切り換え可能な他の画像（１２５０）もディスプレイ（１２１０）に表示されている場合には、これらの画像をタッチペン（１２２０）等で触れることにより画像が切り換わる等となっていると簡単で便利である。また、ホスト装置からの画像に対する制御と、ディスプレイデバイス入力器からの制御が同時に行われる等により競合した場合には、例えば、ホスト装置からの制御とプロジェクタ装置からの制御とどちらを優先するか優先順位が付与されていてもよいし、優先ボタン等がホスト装置とプロジェクタ装置に別途備えられており、優先ボタンを押下している方の装置の制御が優先する等となっていてもよい。ディスプレイデバイス入力器は、以上のような仕組みを実装するためのハードウェアやソフトウェア全般を含む。なお、図１２に例示するディスプレイデバイス入力器の具体例はあくまで一例であり、このような仕組みに限定されるものではない。
【００３２】
（実施形態５：処理の流れ）本実施形態に係るプロジェクタ装置における処理の流れは、実施形態３又は４に係るプロジェクタ装置における処理の流れと同様である。ただし、前記入力信号取得ステップにおいて、ディスプレイのポインティングデバイス又は／及び、タッチパネルデバイスからの入力情報を取得することによりホスト装置を制御するための入力を取得することを特徴とする。
【００３３】
（実施形態５：効果）本実施形態に係るプロジェクタ装置は、実施形態３又は４に係るプロジェクタ装置の機能に加え、前記ディスプレイ入力手段は、ホスト装置を制御するための入力を取得するために前記ディスプレイのポインティングデバイス又は／及び、タッチパネルデバイスからの入力情報を取得する機能を有する。これにより、ユーザはポインティングデバイス又は／及び、タッチパネルデバイスを用いてホスト装置を制御することができる。
（実施形態６）
【００３４】
（実施形態６：概要）本実施形態は、実施形態２から５のいずれか一に係るプロジェクタ装置の機能に加え、前記ホスト装置制御部は、情報を表示するための画像を生成する機能を有し、前記出力手段は、ホスト装置から出力される画像に代えて、又は、ホスト装置から出力される画像に加えて、生成する画像を前記ディスプレイに表示するための機能を有するプロジェクタ装置に関する。
【００３５】
（実施形態６：構成）本実施形態に係るプロジェクタ装置の機能ブロックを図１３に例示する。本実施形態に係るプロジェクタ装置の構成は、実施形態２から５のいずれか一に係るプロジェクタ装置の構成に「画像生成手段」（１３１５）と「生成画像表示器」（１３１６）を加えた構成となる。図１３においては、実施形態５に係るプロジェクタ装置の構成に前記画像生成手段（１３１５）と前記生成画像表示器（１３１６）を加えた構成を例示している。プロジェクタ装置（１３００）は、「ホスト装置制御部」（１３１０）を有する。また、前記ホスト装置制御部（１３１０）は、「出力手段」（１３１１）と、「ディスプレイ入力手段」（１３１２）と「画像生成手段」（１３１５）を有する。また、前記ディスプレイ入力手段（１３１２）は、「筐体動作検知器」（１３１３）と、「ディスプレイデバイス入力器」（１３１４）を有する。また、前記出力手段（１３１１）は、「生成画像表示器」（１３１６）を有する。
【００３６】
「画像生成手段」（１３１５）は、情報を表示するための画像を生成する機能を有する。「生成」とは、画像作成アプリケーション等で新規に画像を作成する場合であってもよいが、ホスト装置から出力された画像情報に基づく画像を変更、又は削除する場合等、予めＨＤＤ、ＲＯＭ、ＲＡＭ等の所定の記憶領域に保存されている画像を呼び出す場合等をも含む。また、画像の変更等がされた際に、画像データの変更箇所に関する情報等がホスト装置に出力されることにより、ホスト装置においても同様の変更がなされるようになっていてもよい。画像生成手段は、画像を生成し保存するためのアプリケーションやアプリケーションを動作させるためのハードウェア全般を含む。
【００３７】
「生成画像表示器」（１３１６）は、ホスト装置から出力される画像に代えて、又は、ホスト装置から出力される画像に加えて、前記画像生成手段（１３１５）が生成する画像を前記ディスプレイに表示するための機能を有する。生成画像表示器の具体的な処理としては、例えば、前記画像生成手段（１３１５）にて所定の記憶領域に保持されている生成画像を読出し、ＧＰＵによってグラフィックメモリに展開した後、必要に応じてアナログ変換する等してディスプレイ出力信号に変換し、ディスプレイに出力する。また、生成画像表示器は、このような処理を実行するためのプログラムを含んでいてもよい。
【００３８】
（実施形態６：処理の流れ）図１４は、本実施形態に係るプロジェクタ装置における処理の流れを示すフロー図を例示する。最初に、ホスト装置から画像情報と関連情報とをプロジェクタ装置に転送する（画像情報関連情報転送ステップ  Ｓ１４１０）。次に、ホスト装置から制御可能情報をプロジェクタ装置に送信する。この処理は、前記画像情報関連情報転送ステップ（Ｓ１４１０）よりも先に実行されてもよいし、同時に実行されてもよい（制御可能情報送信ステップ  Ｓ１４２０）。次に、前記画像情報関連情報転送ステップ（Ｓ１４１０）にて転送された画像情報に基づく画像をプロジェクタ装置からスクリーンに投射する（画像投射ステップ  Ｓ１４３０）。次に、前記画像情報関連情報転送ステップ（Ｓ１４１０）にて転送された関連情報に基づく補助画像等をディスプレイに表示する。この処理は出力手段によって実行される。また、前記画像投射ステップ（Ｓ１４３０）よりも先に実行されてもよい（ディスプレイ表示ステップ  Ｓ１４４０）。次に、画像を生成する。この処理は画像生成手段によって実行される（画像生成ステップ  Ｓ１４５０）。次に、前記画像情報関連情報転送ステップ（Ｓ１４１０）にて転送された画像情報に基づく画像に代えて、又は、前記画像情報関連情報転送ステップ（Ｓ１４１０）にて転送された画像情報に基づく画像に加えて、前記画像生成ステップ（Ｓ１４５０）にて生成される画像をディスプレイに表示する。この処理は生成画像表示器によって実行される（生成画像表示ステップ  Ｓ１４６０）。次に、前記制御可能情報送信ステップ（Ｓ１４２０）によりホスト装置から送信された制御可能情報に基づいて、ホスト装置を制御するための入力をディスプレイから受け付ける。即ち、ディスプレイを介して入力信号を取得する。この処理はディスプレイ入力手段によって実行される（入力信号取得ステップ  Ｓ１４７０）。次に、前記入力信号取得ステップ（Ｓ１４７０）にて取得された入力信号に基づいて、制御情報をホスト装置に送信する。この処理はディスプレイ入力手段によって実行される（入力信号依存ホスト装置制御情報送信ステップ  Ｓ１４８０）。最後に、ホスト装置において、前記入力信号依存ホスト装置制御情報送信ステップ（Ｓ１４８０）にて送信された制御情報を受信して制御を実行する（制御ステップ  Ｓ１４９０）。
【００３９】
（実施形態６：効果）本実施形態に係るプロジェクタ装置は、実施形態２から５のいずれか一に係るプロジェクタ装置の機能に加え、前記ホスト装置制御部は、情報を表示するための画像を生成する機能を有し、前記出力手段は、ホスト装置から出力される画像に代えて、又は、ホスト装置から出力される画像に加えて、生成する画像を前記ディスプレイに表示するための機能を有する。これにより、例えば、ユーザはプレゼンテーションの進行中に説明に必要な画像を付け加えて説明すること等が可能である。
（実施形態７）
【００４０】
（実施形態７：概要）本実施形態は、実施形態１から６のいずれか一に係るプロジェクタ装置の機能に加え、前記ホスト装置制御部の機能を有効又は無効とするための機能を有するプロジェクタ装置に関する。
【００４１】
（実施形態７：構成）本実施形態に係るプロジェクタ装置の機能ブロックを図１５に例示する。本実施形態に係るプロジェクタ装置の構成は、実施形態１から６のいずれか一に係るプロジェクタ装置の構成に「スイッチ部」（１５２０）を加えた構成となる。図１５においては、実施形態６に係るプロジェクタ装置の構成に前記スイッチ部（１５２０）を加えた構成を例示している。プロジェクタ装置（１５００）は、「ホスト装置制御部」（１５１０）と、「スイッチ部」（１５２０）を有する。また、前記ホスト装置制御部（１５１０）は、「出力手段」（１５１１）と、「ディスプレイ入力手段」（１５１２）と「画像生成手段」（１５１５）を有する。また、前記ディスプレイ入力手段（１５１２）は、「筐体動作検知器」（１５１３）と、「ディスプレイデバイス入力器」（１５１４）を有する。また、前記出力手段（１５１１）は、「生成画像表示器」（１５１６）を有する。
【００４２】
「スイッチ部」（１５２０）は、前記ホスト装置制御部（１５１０）の機能を有効又は無効とするための機能を有する。スイッチ部は、具体的には、物理的に押下可能な機械的なスイッチにより実現されてもよいし、例えば、前記ディスプレイがタッチパネルデバイスを備えている場合には、ディスプレイに表示されタッチパネルを介して触れて選択することにより操作可能なスイッチ等により実現されてもよい。前記ホスト装置制御部の機能を無効とする方法としては、具体的には、例えば、前記ホスト装置制御部が機械的なボタンによって実装されている場合にはボタンが押下できないようにロックする、前記ホスト装置制御部がディスプレイにより実装されている場合にはユーザがディスプレイに対して操作を行っても動作しないようにする、又は、ディスプレイの電源をＯＦＦにする等の方法が考えられる。スイッチ部の具体的な処理としては、例えば、ＨＤＤ、ＲＡＭ等の所定の記憶領域にスイッチ部によりホスト装置制御部の機能が有効になっているか無効になっているかを示す情報が格納されており、ユーザがスイッチ部を切り換える度にこの情報が変更されるようになっていればよい。さらに、前記ホスト装置制御部がユーザにより操作された場合には、この所定の記憶領域に保持されている情報を読出すことにより、ユーザの操作通りにホスト装置制御部にて処理を実行するか否かを判断することができる。また、スイッチ部は、このような処理を実行するためのプログラムを含んでいてもよい。
【００４３】
（実施形態７：効果）本実施形態に係るプロジェクタ装置は、実施形態１から６のいずれか一に係るプロジェクタ装置の機能に加え、前記ホスト装置制御部の機能を有効又は無効とするための機能を有する。これにより、例えば、ユーザの意思によってホスト装置制御部の機能を有効にするか否かを決定することができる。
【図面の簡単な説明】
【００４４】
【図１】本発明に係るプロジェクタ装置とホスト装置の構成例
【図２】実施形態１に係るプロジェクタ装置の機能ブロック図
【図３】実施形態２に係るプロジェクタ装置の機能ブロック図
【図４】実施形態２に係るプロジェクタ装置の処理の流れを示すフロー図
【図５】実施形態３に係るプロジェクタ装置の機能ブロック図
【図６】実施形態３に係るプロジェクタ装置の処理の流れを示すフロー図
【図７】実施形態４に係るプロジェクタ装置の機能ブロック図
【図８】筐体動作検知器の具体例
【図９】検出マークの具体例
【図１０】フォトセンサ出力値の具体例
【図１１】実施形態５に係るプロジェクタ装置の機能ブロック図
【図１２】ディスプレイデバイス入力器の具体例
【図１３】実施形態６に係るプロジェクタ装置の機能ブロック図
【図１４】実施形態６に係るプロジェクタ装置の処理の流れを示すフロー図
【図１５】実施形態７に係るプロジェクタ装置の機能ブロック図
【図１６】実施形態１に係るプロジェクタ装置の処理の流れを示すフロー図
【図１７】一般的なコンピュータの構成を例示する図
【符号の説明】
【００４５】
０１１０    プロジェクタ装置
０１２０    ホスト装置
０１３０    スクリーン
０１４０    プレゼンター
０１５０    アシスタント
０１６０    制御部
０１７０    ＵＳＢケーブル等
【図１】
2006349969.tif 000003
【図２】
2006349969.tif 000004
【図３】
2006349969.tif 000005
【図４】
2006349969.tif 000006
【図５】
2006349969.tif 000007
【図６】
2006349969.tif 000008
【図７】
2006349969.tif 000009
【図８】
2006349969.tif 000010
【図９】
2006349969.tif 000011
【図１０】
2006349969.tif 000012
【図１１】
2006349969.tif 000013
【図１２】
2006349969.tif 000014
【図１３】
2006349969.tif 000015
【図１４】
2006349969.tif 000016
【図１５】
2006349969.tif 000017
【図１６】
2006349969.tif 000018
【図１７】
2006349969.tif 000019